(57)【特許請求の範囲】
【請求項１】
互いに平行な二つの長手方向の軸（Ｄ；Ｄ’）に沿ってそれぞれ延在する第一及び第二接触バー（１；２）を備えた、電子カード等の平板（１２）の検出器であって、
前記各接触バー（１；２）は、互いに対向して延在する二つの区分（４，８；５，９）をそれぞれ備えた曲線状の棒体とされ、
前記第一接触バー（１）は、前記第二接触バー（２）に対向配置されるように形成された延長片（３）を一体に備え、
前記各接触バーは、前記各区分（４，８；５，９）を壁部間で圧縮状態に保持するように構成されたハウジング（１３；１４）内に収容され、
前記平板は前記ハウジングの一面に対して平行移動できるようにされ、かつ前記延長片は該一面上に突出する突出部を形成しており、前記平板が平行移動されることにより、該延長片が、前記突出部が前記一面上に突出した突出位置と、前記突出部が前記一面上から退避して該延長片が前記第二接触バーと接触する退避位置との間で移動し得るよう構成されて成る検出器。
【請求項２】
前記各接触バー（１；２）は、一平面上に延在する第一区分（８；９）と、圧縮状態に保持されないときに該第一区分から所定距離だけ弾性的に復帰する第二区分（４；５）と、を備え、
前記所定距離は、前記各区分（４，８；５，９）を圧縮状態で保持するハウジング（１３；１４）の各壁部を分離している距離より大きい距離とされていることを特徴とする請求項１記載の検出器。
【請求項３】
前記延長片（３）は、前記第二接触バー（２）側に向けて凸状に曲成されたブラケットを備え、該ブラケットの凸面が前記第二接触バー（２）に対向配置されていることを特徴とする請求項１記載の検出器。
【請求項４】
前記第二接触バー（２）は、前記第一区分（９）に隣接し該第一区分（９）から所定距離だけ離間して配置された部分を有する、前記第一区分（９）側に向けて曲成された第二区分（５）を備えており、
前記離間して配置された部分と前記第一区分（９）とを分離する距離は、第二区分（５）の端部（５ａ）と第一区分（９）とを分離する距離よりも大きく形成されていることを特徴とする請求項１記載の検出器。
【請求項５】
前記各接触バー（１；２）は、分離されたハウジング（１３；１４）内に収容されていることを特徴とする請求項１記載の検出器。
【請求項６】
前記各第一区分（８；９）は、これら第一区分（８；９）が延在する平面上に延在するとともに、前記ハウジング（１３；１４）の各壁部に係合するように形成された複数の歯部（６）を有していることを特徴とする請求項２記載の検出器。
【請求項７】
少なくとも一つの移動停止装置（７ａ；７ｂ）が、前記平板が挿入される方向（Ｆ）に関して前記第一接触バー（１）の前記延長片（３）のすぐ下流側に、前記ハウジング（１３；１４）の前記一面（１３ａ）から外方に突出するように配置されていることを特徴とする請求項１記載の検出器。
【請求項８】
前記移動停止装置（７ａ；７ｂ）は、前記延長片（３）の両側に配置されていることを特徴とする請求項７記載の検出器。
【請求項９】
単一面上に配され、かつ挿入される前記平板（１２）に接触するように構成された複数の接触器（１１）を備えて成る、電子カード等の平板に用いるコネクタであって、
前記平板が挿入される方向（Ｆ）に関して前記各接触器（１１）の下流側に配された請求項１記載の検出器を備えていることを特徴とするコネクタ。
【発明の詳細な説明】
【０００１】
【発明の属する技術分野】
本発明は、平板の存在または該平板の移動端を検出する検出器、および、例えば磁気ボード（magnetic board）を読むためのフレームといった、前記検出器が装着されるコネクタに関する。
【０００２】
【従来の技術】
従来、平板用コネクタに平板の存在または該平板の移動端を検出する検出器を備えたものが用いられている。この種の検出器は、コネクタの各接触部に接続される、磁気ボード等の平板の接触領域を正確に配置するために必要とされる。
【０００３】
例えば、本出願人の名義による仏国特許２７１４５３４号には、単一のテープロール（tape roll）に一対の移動停止接触部が設けられたコネクタが開示されている。
【０００４】
この実施形態において、平板は、該平板がコネクタに向かって移動する際に、検出バーの一方を他方の検出バーに向かって移動させるように構成されている。前記各検出バーが機械的かつ電気的に接触したときに、前記平板が停止するようになっている。
【０００５】
【発明が解決しようとする課題】
前記平板が引き抜かれると、各検出バーは、それぞれの初期位置に弾性的に復帰させられ、互いに分離させられる。しかし、特に、多くの使用を繰り返すことにより弾性復帰力が変化した場合には、これら二つの前記検出バーを分離している距離をあまり正確に維持することができない。このことは、二つの前記検出バーの接触を得るために平板が移動すべき経路に関して、不確実性が生じてしまうことを避けることができない。したがって、コネクタの接触器に関する平板の位置決めは不完全のままとなっている。
【０００６】
【課題を解決するための手段】
本発明は、前述した問題を解決するためになされたものであり、コネクタ内での平板の正確な位置決めを行う平板の検出器を提供するものである。
【０００７】
本発明による、電子カード等の平板の検出器は、二つの平行な長手方向の軸に沿って延在する二つの接触バーを備えている。
【０００８】
本発明によれば、各接触バーは、互いに反対方向に延在する二つの区分又は部分（segments）を備えた曲線状の棒体となっている。第一バーは、第二バーに対向配置されるように形成された延長片を備えている。これらのバーは、前記各区分を壁部間で圧縮状態で保持するように構成されたハウジング内で保持されている。前記平板は、前記ハウジングの一面に対して平行に移動するようにされ、かつ前記延長片は、該一面上に突出する突出部を形成する。このように、前記平板は、前記延長片をこの突出位置と該延長片が前記第二バーと接触する退避位置（draw-in position）との間で移動させることができる。
【０００９】
したがって、前記ハウジングの各壁部間で予め応力を与えるように前記各バーを曲線状としたことにより、前記各接触バー間の間隔を正確に得ることができる。
【００１０】
本発明の好ましい一実施形態によれば、前記各バーは、一平面上に延在する第一区分と、該第一区分から所定距離だけ弾性的に復帰する第二区分と、を備えている。この所定距離は、前記各区分を圧縮状態で保持するハウジングの各壁部を分離している距離より大きいものとされる。
【００１１】
前記各バーが前記ハウジング内に配置された場合、各バーは、自動的に圧縮され、かつ応力が与えられることになる。
【００１２】
本発明の好ましい実施形態によれば、少なくとも一つの移動停止装置が、前記第一バーの前記延長片の真下に、前記ハウジングの前記一面から外方に突出するように配置されている。
【００１３】
このように、本発明による検出器は、前記平板の移動端を正確に決定することができる。
【００１４】
本発明の他の実施形態によれば、電子カード等の平板のコネクタは、単一面上に配され、かつＦ方向に挿入される該平板に接触するように構成された複数の接触器を備えている。
【００１５】
本発明によれば、このコネクタは、前記Ｆ方向に関して前記各接触器の下方に配された前述した如き検出器を備えている。
【００１６】
本発明の他の有利な点および態様は、以下の説明により明らかにされる。
例示として提供される添付図面は、以下の通りである。
図１は、本発明による検出器の曲線状バーの斜視図である。
図２（Ａ）及び図２（Ｂ）は、図１の曲線状バーを保持するハウジングの断面図である。
図３は、本発明によるコネクタの平面図である。
図４は、図３のコネクタの側面図である。
図５は、本発明によるコネクタの上に配置された平板を図示した部分断面側面図である。
【００１７】
【発明の実施の形態】
図１に示すように、電子カード等の平板の検出器は、それぞれが二つの軸Ｄ，Ｄ’に沿って延在する二つの接触バー１，２を備えている。前記各軸は、図２（Ａ）および図２（Ｂ）に示すように、長手方向に、あるいは互いに平行に配されている。
【００１８】
各接触バー１，２は、曲線状の棒体とされ、互いに反対方向に延在する二つの区分４，５，８，９を有している。各バー１，２は、単一面上で延在する第一区分８，９と、該第一区分上に所定の距離をもって配置された第二区分４，５と、を備えている。
【００１９】
この実施形態において、第一バー１は、互いに実質的に平行とされる二つの区分８，４を備えており、第二区分４は、第二バー２に対向配置された延長片３にて終端している。
【００２０】
この延長片は、内側に曲成されたブラケットから成り、このブラケットの凸面は前記第二バー２に面している。
【００２１】
第二バー２は、第一区分９に隣接し、かつ第一区分９から所定距離をもって配置された部分を有する内側に曲成された第二区分５を備えている。この離間距離は、この第二区分５の端部５ａと第一区分９とを分離する距離よりも大きく形成されている。
【００２２】
図２（Ａ）及び図２（Ｂ）に示すように、前記各バー１，２は、前記各区分４，５，８，９を各壁部間に圧縮状態で保持するハウジング１３，１４内に収容されている。
【００２３】
図２（Ａ）において、前記バー１は、ハウジング１３の各内壁に接触する二つの区分４，８を有している。
【００２４】
図２（Ｂ）において、前記第二バー２の第一区分９と、該第一区分９に隣接する第二区分５の部分とは、共にハウジング１２の内壁に接触している。このように、第二区分の端部５ａは、第一区分９に近接して配置されることになる。
【００２５】
好ましくは、各バー１，２は、分離されたハウジング１３，１４内に収容される。各バー１，２がハウジング１３，１４内に配置された場合、各第一区分８，９は同一平面内に配され、第二バー２の第二区分５の端部５ａは、第一バー１から外方に突出する延長片３の真下に配される。
【００２６】
第一バーの延長片３は、ハウジング１３の一面１３ａ上に突出する突出部を形成している。そのため、平板がハウジング１３の一面１３ａに平行に移動するように配された場合、この平板は、延長片３をその突出位置から該延長片３が第二バー２と接触する退避位置まで移動させることになる。この機構は図５に明りょうに図示されており、平板１２は延長片３を下方に移動させ、それにより、該延長片の凸面がｃ点において第二バーの端部５ａと接触することになる。
【００２７】
各バー１，２がハウジング１３，１４内で圧縮されている場合において、第二バーの端部５ａと延長片３の凸面とを離間している距離は、突出片３がハウジングの一面１３ａから上方に突出している部分の高さと実質的に等しい。
【００２８】
図１に示すように、各第一区分８，９は、好ましくは、これら第一区分８，９が延在する平面上に延在するとともに、ハウジング１３，１４の各壁部に係合するように形成された複数の歯部６を有している。好ましくは、これら歯部６は、フォークのように、ハウジング１３，１４の内側に各バー１，２を取り付けることができるようになっている。各歯部６は、三角形のような形状とされ、各区分９，８の端部に対するこれら三角形の頂点は、各バー１，２をハウジング１３，１４内に挿入する場合には各歯部６がわずかに収縮するようにされ、一旦各バー１，２が定位置に配置された後に各バー１，２を引き抜こうとする場合には抵抗するように配置されている。
【００２９】
少なくとも一つの移動停止装置が、第一バーの延長片３の真下に、ハウジング１３，１４の前記一面１３ａ上に突出する突出部材として提供される。この場合において、二つの移動停止装置７ａ，７ｂが延長片３の両側に配されている。したがって、前記平板がハウジング１３，１４の前記一面１３ａ上に挿入された場合、延長片３は、該平板１２が設置される移動停止装置７ａ，７ｂ間に移動する。
【００３０】
図３および図５に示すように、検出器は、電子カード等の平板に用いるコネクタに装着される。このコネクタは、例えば、単一平面上に配され、かつ、前記平板に所定の領域で接触するよう構成されたブラシ式接触部１１を備えた読み出し用フレームとすることもできる。
【００３１】
図５に示すように、この検出器は、平板１２がコネクタ１０上に挿入される方向に関して見た場合に、接触器の下方に配置されている。
【００３２】
上述した例示について、本発明の範囲内で多くの改良が明らかに可能である。
【００３３】
前記各バー１，２を単一のハウジング内に収容することもできる。
【図面の簡単な説明】
【図１】  本発明による検出器の曲線状バーの斜視図である。
【図２】  図１の曲線状バーを保持するハウジングであり、（Ａ）は第一バーのハウジング、（Ｂ）は第二バーのハウジングを示した断面図である。
【図３】  本発明によるコネクタの平面図である。
【図４】  図３のコネクタの側面図である。
【図５】  本発明によるコネクタの上に配置された平板を図示した部分断面側面図である。
【符号の説明】
１，２  接触バー
３  延長片
１２  平板
１３，１４  ハウジング
【図１】
0003719828.tif 000002
【図２】
0003719828.tif 000003
【図３】
0003719828.tif 000004
【図４】
0003719828.tif 000005
【図５】
0003719828.tif 000006